(57)【特許請求の範囲】
【請求項１】
暗証番号情報を含むカード情報を一つまたは複数記憶する記憶媒体と、
暗証番号の入力を受け付ける入力部と、
前記入力部によって入力された暗証番号と、前記記憶媒体に記憶された暗証番号情報とを比較し、一致する暗証番号情報があるか否かを判断する判断部と、
前記判断部によって一致する暗証番号情報があると判断された場合に、一致する暗証番号情報があると判断されたときから所定期間だけ、前記記憶媒体に記憶された、一致した暗証番号情報に対応するカード情報の出力を許可する出力許可部と、
前記出力許可部によってカード情報の出力が許可された場合に、当該カード情報の一部を表示部に表示させる制御部と、
を備えたことを特徴とするカード。
【請求項２】
前記入力部は、外部装置から前記暗証番号にかかる情報の入力を受け付け、
前記制御部は、前記カード情報の一部を前記外部装置の前記表示部に表示させる、
ことを特徴とする請求項１に記載のカード。
【請求項３】
前記カード情報は、前記カードの種類と、前記カードの番号と、前記カードに関連する企業とのうちの少なくともいずれか一つを示すカードに関する情報を含み、
前記制御部は、前記出力許可部によってカード情報の出力が許可された場合に、当該カード情報に含まれたカードに関する情報を表示させる、
ことを特徴とする請求項１または２に記載のカード。
【請求項４】
前記カード情報は、前記カードの所有者の画像情報を含み、
前記制御部は、前記出力許可部によってカード情報の出力が許可された場合に、当該カード情報に含まれた画像情報を表示させる、
ことを特徴とする請求項１〜３のいずれか一つに記載のカード。
【請求項５】
前記判断部によって一致する暗証番号情報にかかるカード情報が複数あると判断された場合に、一致した暗証番号情報に対応する複数のカード情報それぞれの一部を前記表示部に表示し、
前記入力部は、前記表示部に表示された前記複数のカード情報の中から、いずれかのカード情報の選択指示を受け付けることを特徴とする請求項１〜４のいずれか一つに記載のカード。
【発明の詳細な説明】
【技術分野】
【０００１】
この発明は、クレジットカードなどのカード、当該カードを用いて決済処理をおこなうカード決済装置、カード決済処理プログラムおよびカード決済処理方法に関する。
【背景技術】
【０００２】
従来、クレジットカードなどの各種カードは、エンボスによりカード番号、有効期限、氏名などが示されており、また、表面には、カードの種類その他を示す文字、英数字、図柄情報などが設けられている。また、裏面には、磁気カードや、所有者の署名欄などが設けられている。
【０００３】
また、近年、エンボスによる複写や磁気カードの読み取りに代わって、カードに搭載されたＩＣチップにより、店舗端末装置によるカード情報の読み取りがおこなわれることが多くなってきている。
【０００４】
また、関連する技術として、具体的には、従来、たとえば、パスポートの写真部分に無色のバーコードをプリントすることで、個人認証用媒体の不正な使用を防止する技術があった（たとえば、下記特許文献１を参照。）。
【先行技術文献】
【特許文献】
【０００５】
【特許文献１】特開平１０−２０８０５４号公報
【発明の概要】
【発明が解決しようとする課題】
【０００６】
しかしながら、上述したように、従来におけるクレジットカードなどの各種カードは、カード情報が一目瞭然であり、紛失したり、盗難に遭ったりすると、容易に当該カードの不正使用が可能となり、当該不正使用による被害額も年々増加の一途を辿っており、それらの不正行為を有効に防止する手立てがないのが現状である。
【０００７】
この発明は、上述した従来技術による問題点を解消するため、紛失したり、盗難に遭ったとしても、当該カードの不正使用を防止することができるカード、カード決済装置、カード決済処理プログラムおよびカード決済処理方法を提供することを目的とする。
【課題を解決するための手段】
【０００８】
上述した課題を解決し、目的を達成するため、この発明にかかるカードは、一つまたは複数の暗証番号情報を含むカード情報を記憶する記憶媒体と、暗証番号の入力を受け付ける入力部と、前記入力部によって入力された暗証番号と、前記記憶媒体に記憶された暗証番号情報とを比較し、一致する暗証番号情報があるか否かを判断する判断部と、前記判断部による判断結果に基づいて、前記記憶媒体に記憶された、一致した暗証番号情報に対応するカード情報の出力を許可する出力許可部と、を備えたことを特徴とする。
【０００９】
また、この発明にかかるカードは、上記の発明において、前記入力部が、外部装置から前記暗証番号にかかる情報の入力を受け付けることを特徴とする。
【００１０】
また、この発明にかかるカードは、上記の発明において、前記判断部による判断結果に関する情報を表示する表示部を備えたことを特徴とする。
【００１１】
また、この発明にかかるカード決済装置は、カードに設けられた記憶媒体から、当該記憶媒体に記憶された少なくとも一つのカードの暗証番号情報を取得する第１の取得部と、暗証番号の入力を受け付ける入力部と、前記入力部により入力された暗証番号と、前記第１の取得部によって取得された暗証番号情報とを比較し、一致する暗証番号情報があるか否かを判断する判断部と、前記判断部による判断結果に基づいて、前記記憶媒体から、当該記憶媒体に記憶された、一致した暗証番号情報に対応するカード情報を取得する第２の取得部と、前記第２の取得部により取得されたカード情報を用いて決済処理を実行する決済処理実行部と、を備えたことを特徴とする。
【００１２】
また、この発明にかかるカード決済装置は、上記の発明において、前記第２の取得部により取得されたカード情報の一部を表示する表示部を備えたことを特徴とする。
【００１３】
また、この発明にかかるカード決済装置は、上記の発明において、前記第２の取得部が、前記判断部による判断結果に基づいて、前記記憶媒体から、当該記憶媒体に記憶された、前記カードの所有者の画像情報を取得し、前記表示部が、前記画像情報を表示することを特徴とする。
【００１４】
また、この発明にかかるカード決済処理プログラムは、コンピュータに、カードに設けられた記憶媒体から、当該記憶媒体に記憶された少なくとも一つのカードの暗証番号情報を取得し、暗証番号の入力を受け付け、入力された暗証番号と、取得された暗証番号情報とを比較し、一致する暗証番号情報があるか否かを判断し、判断結果に基づいて、前記記憶媒体から、当該記憶媒体に記憶された、一致した暗証番号情報に対応するカード情報を取得し、取得されたカード情報を用いて決済する、処理を実行させることを特徴とする。
【００１５】
また、この発明にかかるカード決済処理方法は、コンピュータにおこなわせるカード決済処理方法であって、カードに設けられた記憶媒体から、当該記憶媒体に記憶された少なくとも一つのカードの暗証番号情報を取得させ、暗証番号の入力を受け付けさせ、入力された暗証番号と、取得された暗証番号情報とを比較させ、一致する暗証番号情報があるか否かを判断させ、判断結果に基づいて、前記記憶媒体から、当該記憶媒体に記憶された、一致した暗証番号情報に対応するカード情報を取得させ、取得されたカード情報を用いて決済させる、ことを特徴とする。
【発明の効果】
【００１６】
この発明にかかるカード、カード決済装置、カード決済処理プログラムおよびカード決済処理方法によれば、不正取得した者が容易に使用できないようにしたので、紛失したり、盗難に遭ったとしても、当該カードの不正使用を防止することができるという効果を奏する。
【図面の簡単な説明】
【００１７】
【図１Ａ】この発明にかかる実施の形態１のカードの外観を示す説明図（その１）である。
【図１Ｂ】この発明にかかる実施の形態１のカードの外観を示す説明図（その２）である。
【図１Ｃ】この発明にかかる実施の形態１のカードの外観を示す説明図（その３）である。
【図２】この発明にかかる実施の形態１のカードの機能的構成を示すブロック図である。
【図３】この発明にかかる実施の形態１のカードの記憶媒体のデータ構成の一例を示す説明図である。
【図４】この発明にかかる実施の形態１のカードの処理手順を示すフローチャートである。
【図５Ａ】この発明にかかる実施の形態２のカードの外観を示す説明図（その１）である。
【図５Ｂ】この発明にかかる実施の形態２のカードの外観を示す説明図（その２）である。
【図６】この発明にかかる実施の形態２のカードの機能的構成を示すブロック図である。
【図７】この発明にかかる実施の形態２のカードの処理手順を示すフローチャートである。
【図８】この発明にかかる実施の形態２のカード決済装置を含むカード決済システムのシステム構成を示す説明図である。
【図９Ａ】この発明にかかる実施の形態２のカード決済装置のハードウエア構成を示すブロック図（その１）である。
【図９Ｂ】この発明にかかる実施の形態２のカード決済装置のハードウエア構成を示すブロック図（その２）である。
【図１０】この発明にかかる実施の形態２のカード決済装置の機能的構成を示すブロック図である。
【図１１Ａ】この発明にかかる実施の形態２のカード決済装置に表示される表示画面例を示す説明図（その１）である。
【図１１Ｂ】この発明にかかる実施の形態２のカード決済装置に表示される表示画面例を示す説明図（その２）である。
【図１２】この発明にかかる実施の形態２のカード決済装置の処理手順を示すフローチャートである。
【図１３】この発明にかかる実施の形態３のカードの機能的構成を示すブロック図である。
【図１４】この発明にかかる実施の形態３のカード決済装置の機能的構成を示すブロック図である。
【図１５】この発明にかかる実施の形態３のカード決済装置の処理手順を示すフローチャートである。
【発明を実施するための形態】
【００１８】
以下に添付図面を参照して、この発明にかかるカード、カード決済装置、カード決済処理プログラムおよびカード決済処理方法の好適な実施の形態を詳細に説明する。
【００１９】
〔実施の形態１〕
（クレジットカード１００の外観）
実施の形態１にかかるカードの一例として、ＩＣチップを備えたクレジットカードについて説明する。図１Ａ〜図１Ｃは、この発明にかかる実施の形態１のカード（クレジットカード１００）の外観を示す説明図である。図１Ａにおいて、クレジットカード１００は、ＩＣチップ１０１を備えている。ＩＣチップ１０１は、一般的なクレジットカードと同様に、接触型のＩＣチップであり、クレジットカード１００の「おもて面」の中央より左側のやや上側に設けられている。
【００２０】
また、図１Ｂは、クレジットカード１００の「うら面」を示している。図１Ａ、図１Ｂからもわかるように、実施の形態１にかかるクレジットカード１００は、ＩＣチップ１０１が設けられている以外は、エンボスの数字などもなく、また、文字や模様など一切印刷されていない。特に、「うら面」は、無模様かつ一色（たとえば白色）である。「おもて面」もＩＣチップ１０１を除いて、「うら面」と同様である。
【００２１】
したがって、クレジットカード１００には、カードの種類、カード会社名、カード会社のロゴマーク、カード番号、有効期限、所有者の氏名、セキュリティーコード、所有者の署名、カード会社に関する情報（住所、電話番号など）、その他の注意書きなどのいずれも記載されてはおらず、磁気コードもない。クレジットカード１００は、まさに、いわゆる『のっぺらぼう』なカードである。
【００２２】
図示は省略するが、ＩＣチップ１０１を非接触型にして、クレジットカード１００内に埋め込んで内蔵させることによって「おもて面」も「うら面」と同様の外観とすることができる。ただし、その場合は、「おもて面」と「うら面」とを区別可能にするために、それぞれの面の色を変えるようにしてもよい。
【００２３】
図１Ｃは、図１Ａに示したクレジットカード１００の「おもて面」において、テンキー１０２およびディスプレイ１０３を表示させた状態を示している。クレジットカード１００のおもて面は、液晶ディスプレイ、有機ＥＬディスプレイ、電子ペーパーなどによる、表示／非表示の切り替えが可能なディスプレイからなり、通常は何も表示されないが、必要に応じて、テンキー１０２やディプレイ１０３を表示する。
【００２４】
したがって、クレジットカード１００の材質は、従来のプラスチック製でなくてもよく、液晶ディスプレイ、有機ＥＬディスプレイ、電子ペーパーなどが搭載できる材質であるのが望ましい。
【００２５】
テンキー１０２の表示部分はタッチパネルとなっており、指などで接触することによって、表示されている数字をクレジットカード１００（のＩＣチップ１０１）に対して入力することができる。クレジットカード１００の所有者は、このテンキー１０２を用いて暗証番号を入力する。また、ディスプレイ１０３は、カードの種類（たとえばカード会社を示す『ＶＩ●Ａ』）や暗証番号入力に対する結果を含む文字（たとえば暗証番号を受け付けたことを示す『ＯＫ』や暗証番号が間違っていることを示す『ＮＧ』）などを表示する。
【００２６】
上述のように、入力された暗証番号に対応したカードの種類を表示するようにしたが、複数のクレジットカードに同一の暗証番号が設定されている場合も想定することができる。その場合には、当該暗証番号が入力されると、ディスプレイ１０３に、当該暗証番号に対応するすべてのカードの種類を、たとえば番号とともに、同時にまたは所定時間隔ごとに切り替えて表示するようにしてもよい（図示は省略）。そして、複数のカードの種類が表示された場合は、クレジットカード１００の所有者は、たとえばカードの種類とともに表示される番号をテンキー１０２から入力することによって、所望のカードを選択するようにしてもよい。所望のカードが選択されると、当該選択された所望のカード以外のカードの種類の表示は消えるようにしてもよい。このようにして、決済に用いられるカードを確定させるようにしてもよい。
【００２７】
図１Ｃでは、テンキー１０２、ディスプレイ１０３は、ＩＣチップ１０１が設けられている面（「おもて面」）と同じ面に表示するようにしたが、それに限定されるものではない。たとえば、図示は省略するが、テンキー１０２、ディスプレイ１０３の両方を、ＩＣチップ１０１が設けられていない面（「うら面」）に設けてもよく、テンキー１０２、ディスプレイ１０３のいずれか一方のみを、ＩＣチップ１０１が設けられていない面（「うら面」）に設けてもよい。また、テンキー１０２は、ディスプレイによって構成したが、それには限定されず、たとえば、あらかじめ印刷されており、タッチパネルなどの機能だけを備えていて、その印刷された数字を押下することによって、暗証番号を入力するようにしてもよい。
【００２８】
（クレジットカード１００の機能的構成）
つぎに、実施の形態１にかかるカードであるクレジットカード１００の機能的構成について説明する。図２は、この発明にかかる実施の形態１のカード（クレジットカード１００）の機能的構成を示すブロック図である。図２のブロック図において、クレジットカード１００は、記憶媒体２０１、暗証番号入力部２０２、暗証番号判断部２０３、判断結果表示部２０４、カード情報出力部２０５、カード情報出力許可部２０６を備えている。
【００２９】
記憶媒体２０１は、１つまたは複数のカード情報を記憶する。カード情報には、暗証番号情報が含まれる。記憶媒体２０１に記憶されるカード情報の具体例については後述する（図３を参照）。記憶媒体２０１は、具体的には、たとえば、図１Ａ、図１Ｃに示したＩＣチップ１０１内の所定の記憶領域および当該記憶領域へのデータの書き込みおよび読み出しをおこなう制御部によって、その機能を実現することができる。
【００３０】
暗証番号入力部２０２は、カードの所有者自らおこなう暗証番号の入力を受け付ける。暗証番号入力部２０２は、具体的には、たとえば、図１Ｃに示したテンキー１０２によって、その機能を実現することができる。
【００３１】
暗証番号判断部２０３は、暗証番号入力部２０２によって入力された暗証番号と、記憶媒体２０１に記憶された暗証番号情報とを比較し、一致する暗証番号情報があるか否かを判断する。暗証番号判断部２０３は、具体的には、たとえば、図１Ａ、図１Ｃに示したＩＣチップ１０１内の制御部によって、その機能を実現することができる。
【００３２】
判断結果表示部２０４は、暗証番号判断部２０３による判断結果に関する情報を表示する。判断結果表示部２０４は、具体的には、たとえば、図１Ｃに示したディスプレイ１０３によってその機能を実現することができる。図１Ｃでは、判断結果として、ディスプレイ１０３に『ＶＩ●Ａ』などカード種類や『○○百貨店』など提携情報を表示する。この表示内容により、ＶＩ●Ａカードについての暗証番号と一致し、そのカードにより決済が可能な状態となったことを示している。さらに、ディスプレイ１０３には、ＶＩ●Ａカードのカード番号、有効期限、所有者の氏名、提携情報などをあわせて表示するようにしてもよい。
【００３３】
カード情報出力部２０５は、記憶媒体２０１に記憶されているカード情報を外部へ出力する。カード情報出力部２０５は、具体的には、たとえば、図１Ａ、図１Ｃに示したＩＣチップ１０１において外部とのデータの入出力を司るインタフェース部およびＩＣチップ１０１内の制御部によって、その機能を実現することができる。
【００３４】
カード情報出力許可部２０６は、暗証番号判断部２０３による判断結果に基づいて、記憶媒体２０１に記憶された、一致した暗証番号情報に対応するカード情報を、カード情報出力部２０５が外部へ出力することを許可する。カード情報出力許可部２０６は、暗証番号判断部２０３による判断結果に基づいて、一致する暗証番号情報がなかった場合は、いずれのカード情報も、カード情報出力部２０５が外部へ出力することを許可しない。カード情報出力許可部２０６は、具体的には、たとえば、図１Ａ、図１Ｃに示したＩＣチップ１０１内の制御部によって、その機能を実現することができる。図１Ｃでは、カード１（ＶＩ●Ａカード）のカード情報の出力が許可された状態を示している。
【００３５】
さらに、クレジットカード１００は、図示は省略するが、各部へ供給する電池を内蔵していてもよい。また、電池に加えてまたは電池の代わりに、外部電源からの電力の供給を受けるための手段（電力取得部）を備えていてもよい。外部電源からの電力の供給を受けるための手段については、公知の技術を用いて容易に実現可能であるため説明を省略する。
【００３６】
（データ構成の一例）
つぎに、実施の形態１にかかるクレジットカード１００の記憶媒体２０１に記憶されるカード情報の具体例について説明する。図３は、この発明にかかる実施の形態１のカード（クレジットカード１００）の記憶媒体のデータ構成の一例を示す説明図である。
【００３７】
図３において、記憶媒体２０１は、３つの暗証番号情報（「暗証番号」）にそれぞれ対応する３つのカード情報を記憶する。カード情報には、通常のクレジットカードと同様に、決済に必要な情報を含む各種の情報が含まれる。たとえば、カードの種類（カード会社）に関する情報（「カード種類」）、カード番号に関する情報（「カード番号」）、カードの有効期限に関する情報（「有効期限」）、カード所有者の氏名に関する情報（「所有者氏名」）、クレジットカードが提携されている企業や特典の内容に関する情報（「提携情報」）などである。
【００３８】
図３においては、暗証番号が『１２３４』に対応する「カード１」のカード情報として、カード種類が『ＶＩ●Ａ』、カード番号が『５５５５−１２３−４５６７』、有効期限が『１９／０４（２０１９年４月）』、所有者氏名が『ＴＡＲＯ  ＹＡＭＡＤＡ』、提携情報が『○○航空』である。また、暗証番号が『９８７６』に対応する「カード２」のカード情報として、カード種類が『Ｊ●Ｂ』、カード番号が『４４４４−９８７−６５４３』、有効期限が『２０／１２（２０２０年１２月）』、所有者氏名が『ＴＡＲＯ  ＹＡＭＡＤＡ』、提携情報が『□□百貨店』である。また、暗証番号が『５４３２』に対応する「カード３」のカード情報として、カード種類が『ＭＡ●ＴＥＲ』、カード番号が『６６６６−３４５７−６７８９』、有効期限が『２１／０９（２０２１年９月）』、所有者氏名が『ＴＡＲＯ  ＹＡＭＡＤＡ』、提携情報は無しである。
【００３９】
このように、カード情報は、暗証番号ごとに、暗証番号に対応させて記憶媒体２０１に記憶している。また、図示は省略するが、カードの所有者の画像情報を記憶媒体２０１に記憶しておいてもよい。
【００４０】
これらの暗証番号情報、カード情報およびカードの所有者の画像情報は、追加、削除、登録されている内容の変更をすることができる。暗証番号情報、カード情報およびカードの所有者の画像情報の追加、削除、登録は、記憶媒体２０１が書き換え可能なメモリーであれば、カード発行後におこなうことができる。記憶媒体２０１が書き換えできないメモリーであれば、暗証番号情報、カード情報およびカードの所有者の画像情報の追加、削除、登録が生じた場合は、新たなクレジットカードを発行し直すことによっておこなう。
【００４１】
（クレジットカード１００の処理手順）
つぎに、実施の形態１にかかるクレジットカード１００の処理手順について説明する。図４は、この発明にかかる実施の形態１のカード（クレジットカード１００）の処理手順を示すフローチャートである。
【００４２】
図４のフローチャートにおいて、たとえば電源がオンになることで、テンキー１０２をクレジットカード１００の「おもて面」の所定の位置に表示する（ステップＳ４０１）。電源のオンは、クレジットカード１００に設けられた、図示を省略する所定のスイッチを入れることによっておこなわれる。また、テンキー１０２やディスプレイ１０３を表示する位置などの所定の位置を所定時間以上触れることによって、電源をオンするようにしてもよい。また、クレジットカード１００を電力が供給可能な所定の位置に接触させたり、ＩＣチップ１０１から電力の供給を受けるようにしてもよい。
【００４３】
つぎに、表示されたテンキー１０２から暗証番号が入力されたか否かを判断する（ステップＳ４０２）。暗証番号は、数字４桁の場合は、４つ目の数字が入力された時点で入力が完了するようにしてもよい。また、それ以外の暗証番号の場合は、『♯』が入力された時点で入力が完了するようにしてもよい。
【００４４】
ここで、暗証番号が入力されるのを待って（ステップＳ４０２：Ｎｏ）、入力された場合（ステップＳ４０２：Ｙｅｓ）は、入力された暗証番号と、記憶媒体２０１に記憶されている暗証番号情報との比較をおこない、一致する暗証番号情報があるか否かを判断する（ステップＳ４０３）。
【００４５】
ステップＳ４０３における判断の結果、一致する暗証番号情報があった場合（ステップＳ４０３：Ｙｅｓ）は、一致した暗証番号情報に対応するカード情報のうちのカードの種類に関する情報を表示画面（ディスプレイ１０３）に表示する（ステップＳ４０４）とともに、一致した暗証番号情報および一致した暗証番号情報に対応するカード情報の外部への出力許可を開始する（ステップＳ４０５）。
【００４６】
それから、所定時間が経過したか否かを判断する（ステップＳ４０６）。所定時間とは、決済処理がおこなわれる時間を想定して設定する。具体的には、３分〜５分程度が好ましい。所定時間が経過するのを待って（ステップＳ４０６：Ｎｏ）、経過した場合（ステップＳ４０６：Ｙｅｓ）は、一致した暗証番号情報および一致した暗証番号情報に対応するカード情報の外部への出力許可を停止し（ステップＳ４０７）、その後、ステップＳ４０９へ移行する。また、図示は省略するが、所定時間が経過する前であっても、決済処理が終了したことを認識して、カード情報の外部への出力許可を停止するようにしてもよい。それにより、より確実に不正な決済処理がおこなわれることを防止することができる。
【００４７】
ステップＳ４０３における判断の結果、一致する暗証番号情報がなかった場合（ステップＳ４０３：Ｎｏ）は、その旨の判断結果（『ＮＧ』）を表示画面（ディスプレイ１０３）に表示して（ステップＳ４０８）、その後、ステップＳ４０９へ移行する。
【００４８】
ステップＳ４０９において、たとえば電源をオフすることによって、テンキー１０２およびディスプレイ１０３を非表示とし（ステップＳ４０９）、一連の処理を終了する。
【００４９】
（クレジットカード１００を用いた決済手順の一例）
このクレジットカード１００によって決済をする際、まず、クレジットカード１００の所有者は、クレジットカード１００の電源をオンにし、テンキー１０２を表示させる。つぎに、テンキー１０２を用いて、利用するカードの種類に応じた暗証番号を入力する。入力後、ディスプレイ１０３に表示された表示内容（暗証番号入力に対する判断結果）を確認の上、店舗の店員に当該クレジットカード１００を手渡す。
【００５０】
店舗店員は、当該所有者から手渡された当該クレジットカード１００のＩＣチップ１０１からカード情報および暗証番号情報を取得するために、当該クレジットカード１００を、カード決済装置としての店舗端末装置（後述する図８、図９Ａ、図９Ｂなど参照）にクレジットカード１００をセットする。そして店舗店員は、店舗端末装置に対して決済金額の入力をおこなう。店舗店員による決済金額の入力は、たとえば、キーボードからの入力やバーコードスキャナによる入力などである。
【００５１】
店舗端末装置は、セットされたクレジットカード１００から読み取られたカード情報、暗証番号と、店員によって入力された決済金額情報とをカード会社のサーバ（後述する図８など参照）に送信し、決済処理を要求する。暗証番号情報はカード情報とともに取得済みであるので、カード所有者に対して、あらためて、暗証番号の入力を要求することはない（または、念のため、暗証番号の入力を要求するようにしてもよい）。
【００５２】
その後、決済処理が終了すると、店舗端末装置によってレシートが印刷される。店舗店員は、当該レシートをカード所有者にクレジットカード１００とともに手渡して、一連の決済手続は終了する。そして、クレジットカード１００は、所定時間が経過後、電源がオフとなる。
【００５３】
このように、実施の形態１にかかるクレジットカード１００によれば、クレジットカード１００を利用する際に、カード所有者はクレジットカード１００に直接に暗証番号を入力し、入力された暗証番号に対応するカード情報を所定時間のみ外部に出力し、決済処理が可能となるので、他人が当該クレジットカード１００を見ただけでは、カード情報が分からず、悪用を防止することができる。
【００５４】
〔実施の形態２〕
つぎに、実施の形態２にかかるカードの一例であるクレジットカード５００および当該クレジットカード５００の決済装置、カード決済処理プログラムおよびカード決済処理方法について説明する。
【００５５】
（クレジットカード５００の外観）
図５Ａ、図５Ｂは、この発明にかかる実施の形態２のカード（クレジットカード５００）の外観を示す説明図である。図５Ａにおいて、クレジットカード５００は、ＩＣチップ５０１を備えている。ＩＣチップ５０１は、非接触型のＩＣチップであり、クレジットカード５００内に埋め込んで内蔵してある。
【００５６】
また、図５Ｂは、クレジットカード５００の「うら面」を示している。図５Ａ、図５Ｂからもわかるように、実施の形態２にかかるクレジットカード５００は、エンボスの数字などもなく、また、文字や模様など一切印刷されておらず、「おもて面」も「うら面」も、無模様かつ一色（たとえば白色）である。
【００５７】
したがって、クレジットカード５００には、カードの種類、カード会社名、カード会社のロゴマーク、カード番号、有効期限、所有者の氏名、セキュリティーコード、所有者の署名、カード会社に関する情報（住所、電話番号など）、その他の注意書きなどのいずれも記載されてはおらず、磁気コードもない。クレジットカード５００は、まさに、いわゆる『のっぺらぼう』なカードである。そのため、「おもて面」と「うら面」とを区別可能にするために、それぞれの面の色を変えるようにしてもよい。
【００５８】
このように、「おもて面」も「うら面」も何も表示されていないことから、外観上は、何のカードかもわからず、当然、クレジットカードであることすら認識することはできない。
【００５９】
ＩＣチップ５０１が内蔵されていて、表面上は見えないこと、かつ、テンキー、ディスプレイを備えていない点で、実施の形態１におけるクレジットカード１００とは異なる。ただし、ＩＣチップ５０１は、実施の形態１におけるクレジットカード１００と同様に、接触型のＩＣチップを用いて、クレジットカード５００の「おもて面」の中央より左側のやや上側に見えるように設けられていてもよい。
【００６０】
（クレジットカード５００の機能的構成）
つぎに、実施の形態２にかかるカードであるクレジットカード５００の機能的構成について説明する。図６は、この発明にかかる実施の形態２のカード（クレジットカード５００）の機能的構成を示すブロック図である。図６のブロック図において、クレジットカード５００は、記憶媒体６０１、暗証番号情報入力部６０２、暗証番号判断部６０３、カード情報出力部６０４、カード情報出力許可部６０５を備えている。
【００６１】
記憶媒体６０１は、１つまたは複数のカード情報を記憶する。カード情報には、暗証番号情報が含まれる。記憶媒体６０１に記憶されるカード情報の具体例は、図３に示した、実施の形態１における記憶媒体２０１と同様の内容である。記憶媒体６０１は、具体的には、たとえば、図５Ａに示したＩＣチップ５０１内の所定の記憶領域および当該記憶領域へのデータの書き込みおよび読み出しをおこなう制御部によって、その機能を実現することができる。
【００６２】
暗証番号情報入力部６０２は、外部装置の一例である、後述するカード決済装置（店舗端末装置）から出力された暗証番号にかかる情報（暗証番号情報）の入力を受け付ける。暗証番号情報入力部６０２は、具体的には、たとえば、図５Ａに示したＩＣチップ５０１において外部とのデータの入出力を司るインタフェース部およびＩＣチップ５０１内の制御部によって、その機能を実現することができる。暗証番号をクレジットカードに直接入力しない点で、実施の形態１にかかるクレジットカード１００の暗号番号入力部２０２とは異なる。
【００６３】
暗証番号判断部６０３は、暗証番号情報入力部６０２によって入力された暗証番号情報と、記憶媒体６０１に記憶された暗証番号情報とを比較し、一致する暗証番号情報があるか否かを判断する。暗証番号判断部６０３は、具体的には、たとえば、図５Ａに示したＩＣチップ５０１内の制御部によって、その機能を実現することができる。
【００６４】
カード情報出力部６０４は、記憶媒体６０１に記憶されているカード情報をカード決済装置（店舗端末装置）へ出力する。カード情報出力部６０４は、具体的には、たとえば、図５Ａに示したＩＣチップ５０１において外部とのデータの入出力を司るインタフェース部およびＩＣチップ５０１内の制御部によって、その機能を実現することができる。
【００６５】
カード情報出力許可部６０５は、暗証番号判断部６０３による判断結果に基づいて、記憶媒体６０１に記憶された、一致した暗証番号情報に対応するカード情報を、カード情報出力部６０４が外部へ出力することを許可する。カード情報出力許可部６０５は、暗証番号判断部６０３による判断結果に基づいて、一致する暗証番号情報がなかった場合は、いずれのカード情報も、カード情報出力部６０４が外部へ出力することを許可しない。カード情報出力許可部６０５は、具体的には、たとえば、図５Ａに示したＩＣチップ５０１内の制御部によって、その機能を実現することができる。
【００６６】
さらに、クレジットカード５００は、図示は省略するが、各部へ供給する電池を内蔵していてもよい。また、電池に加えてまたは電池の代わりに、外部電源からの電力の供給を受けるための手段（電力取得部）を備えていてもよい。
【００６７】
（クレジットカード５００の処理手順）
つぎに、実施の形態２にかかるカード（クレジットカード５００）の処理手順について説明する。図７は、この発明にかかる実施の形態２のカード（クレジットカード５００）の処理手順を示すフローチャートである。
【００６８】
図７のフローチャートにおいて、カード決済装置（店舗端末装置）から暗証番号情報の入力を受け付けたか否かを判断する（ステップＳ７０１）。ここで、暗証番号情報の入力が受け付けられるのを待って（ステップＳ７０１：Ｎｏ）、入力が受け付けられた場合（ステップＳ７０１：Ｙｅｓ）は、入力された暗証番号情報と、記憶媒体６０１に記憶されている暗証番号情報との比較をおこない、一致する暗証番号情報があるか否かを判断する（ステップＳ７０２）。
【００６９】
ステップＳ７０２における判断の結果、一致する暗証番号情報があった場合（ステップＳ７０２：Ｙｅｓ）は、一致した暗証番号情報に対応するカード情報の外部、すなわちカード決済装置（店舗端末装置）への出力許可を開始する（ステップＳ７０３）。
【００７０】
それから、所定時間が経過したか否かを判断する（ステップＳ７０４）。所定時間とは、実施の形態１と同様に、決済処理がおこなわれる時間を想定して設定する。具体的には、３分〜５分程度が好ましい。所定時間が経過するのを待って（ステップＳ７０４：Ｎｏ）、経過した場合（ステップＳ７０４：Ｙｅｓ）は、一致した暗証番号情報に対応するカード情報の外部への出力許可を停止し（ステップＳ７０５）、一連の処理を終了する。また、図示は省略するが、所定時間が経過する前であっても、決済処理が終了したことを認識して、カード情報の外部への出力許可を停止するようにしてもよい。
【００７１】
ステップＳ７０２における判断の結果、一致する暗証番号情報がなかった場合（ステップＳ７０２：Ｎｏ）は、その旨の判断結果（『ＮＧ』）を外部、すなわちカード決済装置（店舗端末装置）へ出力して（ステップＳ７０６）、一連の処理を終了する。
【００７２】
（カード決済システム８００のシステム構成）
つぎに、この発明にかかる実施の形態２のカード決済装置を含むカード決済システムのシステム構成について説明する。図８は、この発明にかかる実施の形態２のカード決済装置（店舗端末装置８２０）を含むカード決済システムのシステム構成を示す説明図である。
【００７３】
図８において、カード決済システム８００は、サーバ８１０、カード決済装置としての店舗端末装置８２０を含んで構成されている。カード決済システム８００において、サーバ８１０および店舗端末装置８２０は、インターネットなどのネットワーク８３０に接続されている。
【００７４】
サーバ８１０は、パーソナル・コンピュータなどのコンピュータ装置によって実現することができる。サーバ８１０は、利用者データベース８１１と、利用状況管理データベース８１２と、を備えている。
【００７５】
店舗端末装置８２０は、カード決済機能を備え、ＣＡＦＩＳやＩＮＦＯＸ−ＮＥＴなどの決済用のネットワークを介して、インターネットなどのネットワーク８３０に接続されている。店舗端末装置８２０は、それぞれ、サーバ８１０との間で、ネットワーク８３０を介した通信が可能とされている。
【００７６】
カード決済システム８００において、店舗端末装置８２０は、クレジットカード５００などのカードを用いた決済（以下「カード決済」という）にかかる各種の処理をおこなうことができる。店舗端末装置８２０は、カード決済にかかる各種の処理の実行に際して、サーバ８１０との間で通信をおこなう。
【００７７】
また、カード決済システム８００において、店舗端末装置８２０は、顧客とカード決済システム８００とのインタフェースを司り、カードの利用状況を顧客に報知する。店舗端末装置８２０は、カード決済をおこなうごとにカードの利用状況を報知する。カードの利用状況の報知方法については、説明を後述する。
【００７８】
店舗端末装置８２０は、具体的には、たとえばＣＡＴ（Ｃｒｅｄｉｔ  Ａｕｔｈｏｒｉｚａｔｉｏｎ  Ｔｅｒｍｉｎａｌ）端末などのカードの信用照会端末や、ＩＮＦＯＸ端末などの多機能決済端末などによって実現することができる。これらの端末装置は、電話回線の他、所定のネットワーク８３０を介してインターネットに接続可能とされている。また、これらの端末装置は、ＰＯＳ端末に接続され、あるいはＰＯＳ端末に一体に組み込まれ、ＰＯＳ端末を介してネットワーク８３０に接続されていてもよい。
【００７９】
（店舗端末装置８２０のハードウエア構成）
つぎに、店舗端末装置８２０のハードウエア構成について説明する。図９Ａおよび図９Ｂは、この発明にかかる実施の形態２のカード決済装置（店舗端末装置８２０）のハードウエア構成を示すブロック図である。図９Ａにおいては、カード決済に特化した機能を備えた店舗端末装置８２０のハードウエア構成を示している。図９Ｂにおいては、カード決済機能を備えたＰＯＳ端末によって実現される店舗端末装置８２０のハードウエア構成を示している。
【００８０】
図９Ａにおいて、カード決済に特化した機能を備えた店舗端末装置８２０は、ＣＰＵ９１１と、ＲＯＭ９１２と、ＲＡＭ９１３と、ディスプレイ９１４と、キーボード９１５と、ネットワークＩ／Ｆ９１６と、ブザー９１７と、カードリーダ９１８と、プリンタ９１９と、を備えている。また、店舗端末装置８２０が備える各部９１１〜９１９は、バス９２０によってそれぞれ接続されている。
【００８１】
ＣＰＵ９１１は、店舗端末装置８２０全体の制御を司る。ＲＯＭ９１２は、カード決済に際して実行させる各種のプログラムなどを記憶している。ＲＡＭ９１３は、ＣＰＵ９１１のワークエリアとして使用される。ＣＰＵ９１１は、カード決済に際して、ネットワークＩ／Ｆ９１６を介してサーバ８１０との間で通信をおこなう。
【００８２】
キーボード９１５は、カード決済をおこなう店舗の店員などによるカード決済にかかる各種の入力操作を受け付けたり、カードの所有者による暗証番号の入力操作を受け付けたりする。キーボード９１５は、入力された情報をＣＰＵ９１１に出力する。ディスプレイ９１４は、たとえば液晶パネルを備えた表示装置によって実現することができる。ディスプレイ９１４を実現する液晶パネルは、定型メッセージ、数字、記号などを表示することができる。また、ディスプレイ９１４を実現する液晶パネルは、７セグメント方式のディスプレイであってもよい。
【００８３】
ブザー９１７は、店舗端末装置８２０においてエラーが発生した場合などに所定のブザー音声を出力する。ブザー９１７としては、たとえば圧電ブザー、電子ブザー、電磁ブザーなど公知の各種のブザーを用いることができる。カードリーダ９１８は、カードを用いた決済において、クレジットカード５００のＩＣチップ５０１に記録されたデータを読み出す。また、ＩＣチップ５０１に対して、所定のデータを入力する機能を備えている。
【００８４】
プリンタ９１９は、伝票用紙に対して決済の内容などを印字する印字処理をおこなう。プリンタ９１９は、たとえば複写が可能な伝票用紙に対する印字が可能なインパクトドットプリンタなどを用いることができる。プリンタ９１９は、インパクトドットプリンタに限るものではなく、サーマルプリンタ、レーザプリンタ、インクジェットプリンタなど公知の各種の印字方式のプリンタによって実現することができる。プリンタ９１９は、伝票用紙を保持する用紙保持機構、伝票用紙に対して印字をおこなうプリンタヘッドなどを備えて構成されている。
【００８５】
図９Ｂにおいて、カード決済機能を備えたＰＯＳ端末によって実現される店舗端末装置８２０は、ＣＰＵ９２１と、ＲＯＭ９２２と、ＲＡＭ９２３と、ＨＤＤ９２４と、ＨＤ９２５と、ディスプレイ９２６と、タッチパネル９２７と、キーボード９２８と、バーコードスキャナ９２９と、プリンタ９３０と、ドロワ開放装置９３１と、ネットワークＩ／Ｆ９３２と、スピーカー９３３と、カードリーダ９３４と、を備えている。また、店舗端末装置８２０が備える各部９２１〜９３４は、バス９３５によってそれぞれ接続されている。
【００８６】
ＣＰＵ９２１は、カード決済機能を備えたＰＯＳ端末によって実現される店舗端末装置８２０全体の制御を司る。ＲＯＭ９２２は、カード決済時、商品の売り上げ登録時あるいは売り上げの精算時などに実行させる各種のプログラムなどを記憶している。ＲＡＭ９２３は、ＣＰＵ９２１のワークエリアとして使用される。ＣＰＵ９２１は、たとえばカード決済に際して、ネットワークＩ／Ｆ９３２を介してサーバ８１０との間で通信をおこなう。
【００８７】
カード決済機能を備えたＰＯＳ端末によって実現される店舗端末装置８２０は、サーバ８１０との間で直接通信をおこなうことができる。また、カード決済機能を備えたＰＯＳ端末によって実現される店舗端末装置８２０は、店舗ごとあるいはグループごとに設けられたサーバコンピュータを介して、サーバ８１０との間で通信をおこなってもよい。
【００８８】
ＨＤＤ９２４は、ＣＰＵ９２１の制御にしたがって、ＨＤ９２５に対するデータのリード／ライトを制御する。ＨＤＤ９２４は、ＨＤ９２５の制御によって書き込まれたデータを記憶する。具体的には、ＨＤ９２５は、たとえば商品マスタファイルや売り上げファイルなどを記憶している。カード決済機能を備えたＰＯＳ端末によって実現される店舗端末装置８２０における商品マスタファイルや売り上げファイルについては公知であるため説明を省略する。
【００８９】
ディスプレイ９２６は、たとえば液晶パネルを備えた表示装置によって実現することができる。ディスプレイ９２６は、カーソル、アイコン、ツールボックスをはじめ、文書、画像、機能情報などのデータに関するウインドウ（ブラウザ）を表示する。カード決済機能を備えたＰＯＳ端末によって実現される店舗端末装置８２０は、店員側に情報を表示するディスプレイ９２６と、顧客（カードの所有者）側に情報を表示するディスプレイ９２６とのように、１台あたり複数のディスプレイ９２６を備えていてもよい。
【００９０】
タッチパネル９２７は、ディスプレイ９２６に積層され、操作位置に応じた信号をＣＰＵ９２１に対して出力する。タッチパネル９２７は、たとえば抵抗膜方式や静電容量方式、音響パルス認識方式、超音波表面弾性波方式、赤外遮光方式、画像認識方式など公知の各種の方式のものを用いることができる。キーボード９２８は、文字、数値、各種指示などの入力のためのキーを備え、操作されたキーに応じた信号をＣＰＵ９２１に対して出力する。
【００９１】
バーコードスキャナ９２９は、商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。バーコードスキャナ９２９は、ＬＥＤなどの光源、光源からの光を走査させるポリゴンミラー、読み取り対象物からの反射光を受光するセンサ、センサが受光した光信号をデコードするデコード回路などを備えている。センサとしてＣＣＤイメージセンサを採用することにより、２次元コードを読み取ることが可能になる。デコード回路がデコードしたデータは、ＣＰＵ９２１に出力される。
【００９２】
プリンタ９３０は、ロール紙に対して決済の内容などを印字する印字処理をおこなう。サーマルプリンタ、レーザプリンタ、インクジェットプリンタなど公知の各種の印字方式のプリンタによって実現することができる。プリンタ９３０は、ロール紙を保持するロール紙保持機構、ロール紙に対して印字をおこなうプリンタヘッド、印字済みのロール紙を任意の長さでカットするカッタ機構などを備えて構成されている。
【００９３】
ドロワ開放装置９３１は、カード決済機能を備えたＰＯＳ端末によって実現される店舗端末装置８２０に対して所定の操作がおこなわれた場合に、当該店舗端末装置８２０に接続されたドロワ装置を開放する。ドロワ開放装置９３１は、具体的には、たとえばソレノイドなどによって実現することができ、キーボード９２８における「預／現計」キーの操作に応じてＣＰＵ９２１から出力された開放信号を受信した場合に動作してドロワ装置を解錠する。
【００９４】
スピーカー９３３は、商品をスキャンした場合の『ピッ』という音声やエラーなどの異常発生時の報知音を出力する。スピーカー９３３は、ボイスコイル（図示を省略する）を備えており、ＣＰＵ９２１から出力された音声信号にしたがった電気信号をボイスコイルに印加することによって音声を出力する。カードリーダ９３４は、クレジットカード５００のＩＣチップ５０１に記録されたデータを読み出す。また、ＩＣチップ５０１に対して、所定のデータを入力する機能を備えている。
【００９５】
（店舗端末装置８２０の機能的構成）
つぎに、実施の形態２にかかるカード決済装置としての店舗端末装置８２０の機能的構成について説明する。図１０は、この発明にかかる実施の形態２のカード決済装置（店舗端末装置８２０）の機能的構成を示すブロック図である。図１０のブロック図において、店舗端末装置８２０は、暗証番号入力部１００１、暗証番号情報出力部１００２、カード情報入力部１００３、決済金額情報入力部１００４、認証要求情報送信部１００５、認証許可情報受信部１００６、決済処理部１００７、表示部１００８と、を備えている。
【００９６】
暗証番号入力部１００１、暗証番号情報出力部１００２、カード情報入力部１００３、決済金額情報入力部１００４、認証要求情報送信部１００５、認証許可情報受信部１００６、決済処理部１００７、表示部１００８は、たとえば、店舗端末装置８２０が備える各部９１１〜９１９あるいは９２１〜９３４によって実現することができる。
【００９７】
暗証番号入力部１００１は、カードの所有者自らおこなう暗証番号の入力を受け付ける。暗証番号入力部１００１は、具体的には、たとえば、図９Ａ、図９Ｂに示したキーボード９１５、９２８によって、その機能を実現することができる。
【００９８】
暗証番号情報出力部１００２は、暗証番号入力部１００１によって入力された暗証番号の情報を、クレジットカード５００に対して出力する。暗証番号情報出力部１００２は、具体的には、たとえば、図９Ａ、図９Ｂに示したカードリーダ９１８、９３４などのクレジットカード５００と接続されるインタフェースによって、その機能を実現することができる。
【００９９】
カード情報入力部１００３は、クレジットカード５００から出力されるカード情報、カードの所有者の画像情報、その他、クレジットカード５００から出力される各種情報などを入力する。各種情報には、たとえば判断結果に関する情報（カード情報出力不許可（ＮＧ）情報など）が含まれる。カード情報入力部１００３は、具体的には、たとえば、図９Ａ、図９Ｂに示したカードリーダ９１８、９３４などのクレジットカード５００と接続されるインタフェースによって、その機能を実現することができる。
【０１００】
決済金額情報入力部１００４は、認証を要求するカード決済の利用金額情報（決済金額情報）の入力を受け付ける。決済金額情報入力部１００４は、店舗端末装置８２０を操作する店舗店員などによる直接操作を受け付けることによって決済金額情報の入力を受け付ける。また、決済金額情報入力部１００４は、たとえばＰＯＳ端末から出力された利用金額情報を受信することによって決済金額情報の入力を受け付けるようにしてもよい。
【０１０１】
認証要求情報送信部１００５は、カードの認証要求に関する情報をサーバ８１０へ送信する。カードの認証要求に関する情報は、カード情報入力部１００３によって入力されたカード情報、認証を要求するカードでの今回の決済金額に関する情報、店舗端末装置８２０の識別情報を含んでいる。
【０１０２】
認証許可情報受信部１００６は、認証要求に対して、サーバ８１０から送信された許可情報および報知方法情報を受信する。
【０１０３】
決済処理部１００７は、認証許可情報受信部１００６が受信した許可情報に基づいて認証が許可されたと判断した場合に、認証を要求したクレジットカード５００による決済処理をおこなう。その際、すでに暗証番号入力部１００１が暗証番号の入力を受け付けているので、再度の暗証番号の入力は要求しない（または、念のため、再度、暗証番号の入力を要求するようにしてもよい）。また、決済処理部１００７は、さらに、店舗控用およびカード所有者の控用のレシートを、たとえば図９Ａ、図９Ｂに示したプリンタ９１９、９３０などを用いて印刷する。
【０１０４】
表示部１００８は、カード情報入力部１００３によって入力された情報の全部または一部、決済金額情報入力部１００４によって入力された情報の全部または一部、認証許可情報受信部１００６によって受信された情報の全部または一部を表示する。カード情報入力部１００３によって入力された情報または認証許可情報受信部１００６によって受信された情報には、クレジットカード５００の所有者の画像（写真）情報が含まれていてもよい。表示部１００８の具体的な表示例については、図１１Ａ、図１１Ｂを用いて後述する。
【０１０５】
（表示画面の一例）
図１１Ａ、図１１Ｂは、この発明にかかる実施の形態２のカード決済装置（店舗端末装置８２０）に表示される表示画面例を示す説明図である。図１１Ａは、入力された暗証番号と一致する暗証番号情報があった場合を、図１１Ｂは、入力された暗証番号と一致する暗証番号情報がなかった場合を、それぞれ示している。
【０１０６】
図１１Ａにおいて、表示部１００８によって表示される表示画面１１０１は、たとえば、クレジットカード５００の記憶媒体６０１に記憶されている、一致する暗証番号情報に対応する、カード情報である「カード種類」、「カード番号」、「有効期限」、「所有者氏名」、「提携情報」などを表示する。入力された暗証番号に対応したカード情報を表示するようにしたが、複数のクレジットカードに同一の暗証番号が設定されている場合も想定することができる。その場合には、当該暗証番号が入力されると、表示部１００８に、当該暗証番号に対応するすべてのカード情報を表示するようにしてもよい（図示は省略）。そして、複数のカード情報が表示された場合は、店舗の店員は、クレジットカード５００の所有者に対して、所望のカードの選択を依頼し、決済に用いるカードを確定するようにしてもよい。
【０１０７】
また、カード情報入力部１００３によって入力されたカード情報に、カード所有者の画像（写真）情報が含まれている場合には、その画像（写真）情報１１１１も表示するようにしてもよい。入力された暗証番号については、不正使用を避けるために、表示しない。あるいは、カード所有者に確認するために、暗証番号の一部のみ表示するようにしてもよい。
【０１０８】
また、決済金額情報入力部１００４によって入力された決済金額に関する情報を表示するようにしてもよい。また、認証許可情報受信部１００６によって受信した認証許可に関する情報も表示するようにしてもよい。カード情報入力部１０３によって入力されたカード情報に、カード所有者の画像（写真）情報が含まれていなくても、認証許可情報受信部１００６によって受信した情報に、カード所有者の画像（写真）情報が含まれている場合には、その画像情報１１１１も表示するようにしてもよい。
【０１０９】
カード情報入力部１００３によって入力されたカード情報および認証許可情報受信部１００６によって受信した情報の両方に、カード所有者の画像（写真）情報が含まれている場合には、図示は省略するが、その両方をそれぞれ並べて表示するようにしてもよい。並べて表示することにより、店舗店員がより確実にカード所有者が本人であることを確認することができる。
【０１１０】
図１１Ｂにおいて、表示部１００８によって表示される表示画面１１０２は、判断結果がＮＧであり、カード情報がクレジットカード５００から取得できなかった旨、および、その後のカード所有者に対する対応などについてを表示する。
【０１１１】
（店舗端末装置８２０の処理手順）
つぎに、実施の形態２にかかるカード決済装置として店舗端末装置８２０の処理手順について説明する。図１２は、この発明にかかる実施の形態２のカード決済装置（店舗端末装置８２０）の処理手順を示すフローチャートである。
【０１１２】
図１２のフローチャートにおいて、クレジットカード５００が、店舗端末装置８２０の所定の位置にセットされたか否かを判断する（ステップ１２０１）。ここで、クレジットカード５００が所定の位置にセットされるのを待って（ステップＳ１２０１：Ｎｏ）、セットされた場合（ステップＳ１２０１：Ｙｅｓ）は、つぎに、店舗端末装置８２０のキーボード９１５、９２８から、（カード所有者によって、）暗証番号が入力されたか否かを判断する（ステップＳ１２０２）。ここで、暗証番号が入力されるのを待って（ステップＳ１２０２：Ｎｏ）、入力された場合（ステップＳ１２０２：Ｙｅｓ）は、つぎに、入力された暗証番号にかかる暗証番号情報をクレジットカード５００へ出力する（ステップＳ１２０３）。
【０１１３】
その後、クレジットカード５００からカード情報の入力があったか否かを判断する（ステップＳ１２０４）。ここで、カード情報の入力がなかった場合、すなわち、一致する暗証番号がなく、カード情報の代わりに判断結果（ＮＧ情報）が出力された場合（ステップＳ１２０４：Ｎｏ）は、たとえば図１１Ｂのように、その旨（ＮＧ情報）および再度暗証番号を入力し直してもらう旨の情報を表示し（ステップＳ１２０５）、ステップＳ１２０２へ戻る。図示は省略するが、ステップＳ１２０２〜Ｓ１２０５を所定回数繰り返した場合には、ステップＳ１２０２へ戻らず、一連の処理を終了するようにしてもよい。
【０１１４】
ステップＳ１２０４において、カード情報の入力があった場合（ステップＳ１２０４：Ｙｅｓ）は、つぎに、決済金額情報の入力があったか否かを判断する（ステップＳ１２０６）。ここで、決済金額情報の入力を待って（ステップＳ１２０６：Ｎｏ）、入力があった場合（ステップＳ１２０６：Ｙｅｓ）は、入力があったカード情報および決済金額情報を、たとえば図１１Ａのように表示する（ステップＳ１２０７）。そして、サーバ８１０に対して、認証要求情報を送信する（ステップＳ１２０８）。
【０１１５】
その後、サーバ８１０からの認証許可情報を受信したか否かを判断する（ステップＳ１２０９）。ここで、認証許可情報を受信した場合（ステップＳ１２０９：Ｙｅｓ）は、認証処理を実行し（ステップＳ１２１０）、一連の処理を終了する。一方、認証許可情報を受信しなかった場合、すなわち、認証の許可がなされなかった場合（ステップＳ１２０９：Ｎｏ）は、当該クレジットカードでは認証することができないので、認証処理を実行することなく、一連の処理を終了する。
【０１１６】
（クレジットカード５００を用いた決済手順の一例）
このクレジットカード５００によって決済をする際、まず、クレジットカード５００の所有者は、店舗端末装置８２０の所定の位置にクレジットカード５００をセットし（あるいは店舗の店員にクレジットカード５００を手渡し、当該店員にセットしてもらい）、その後、キーボード（テンキー）９１５、９２８を用いて、利用するカードの種類に応じた暗証番号を入力する。入力後、暗証番号が正しければ、当該暗証番号に対応するカード情報がクレジットカード５００から取得されて、店舗端末装置８２０のディスプレイ９１４、９２６に表示される。
【０１１７】
そして店舗店員は、店舗端末装置８２０に対して決済金額の入力をおこなう。店舗店員による決済金額の入力は、たとえば、キーボード９１５、９２８からの入力やバーコードスキャナ９２９による入力などである。
【０１１８】
店舗端末装置は、セットされたクレジットカード５００から読み取られたカード情報、暗証番号と、店員によって入力された決済金額情報とをカード会社のサーバ８１０に送信し、決済処理を要求する。暗証番号情報はすでに取得済みであるので、カード所有者に対して、あらためて、暗証番号の入力を要求することはない（または、念のため、再度、暗証番号の入力を要求するようにしてもよい）。
【０１１９】
その後、決済処理が終了すると、店舗端末装置８２０によってレシートが印刷される。店舗店員は、当該レシートをカード所有者にクレジットカード５００とともに手渡して、一連の決済手続は終了する。
【０１２０】
このように、実施の形態２にかかるクレジットカード５００およびカード決済装置（店舗端末装置８２０）によれば、実施の形態１にかかるクレジットカード１００と同様に、利用する際に、暗証番号が入力された場合にのみ、入力された暗証番号に対応するカード情報を外部に出力し、決済処理が可能となるので、他人が当該クレジットカード５００を見ただけでは、カード情報が分からず、悪用を防止することができる。また、実施の形態２にかかるクレジットカード５００は、カード決済装置に暗証番号入力部１００１を備えているため、実施の形態１にかかるクレジットカード１００と比較して、クレジットカード５００に暗証番号を入力するためのテンキーも、判断結果を表示するためのキーボードも設ける必要がない。
【０１２１】
〔実施の形態３〕
つぎに、実施の形態３にかかるカードの一例であるクレジットカード１３００および当該クレジットカード１３００の決済装置、カード決済処理プログラムおよびカード決済処理方法について説明する。
【０１２２】
（クレジットカード１３００の外観）
クレジットカード１３００の外観は、図示は省略するが、実施の形態２にかかるクレジットカード５００と同じである。すなわち、クレジットカード１３００は、ＩＣチップを備えている。ＩＣチップは、非接触型のＩＣチップであり、クレジットカード１３００内に埋め込んで内蔵してある。
【０１２３】
また、実施の形態３にかかるクレジットカード１３００も、実施の形態２にかかるクレジットカード５００と同様に、エンボスの数字などもなく、また、文字や模様など一切印刷されておらず、「おもて面」も「うら面」も、無模様かつ一色（たとえば白色）である。
【０１２４】
したがって、クレジットカード１３００には、カードの種類、カード会社名、カード会社のロゴマーク、カード番号、有効期限、所有者の氏名、セキュリティーコード、所有者の署名、カード会社に関する情報（住所、電話番号など）、その他の注意書きなどのいずれも記載されてはおらず、磁気コードもない。クレジットカード１３００も、クレジットカード５００と同様に、いわゆる『のっぺらぼう』なカードである。ＩＣチップは、実施の形態１におけるクレジットカード１００、実施の形態２にかかるクレジットカード５００と同様に、接触型のＩＣチップを用いて、クレジットカード１３００の「おもて面」の中央より左側のやや上側に見えるように設けられていてもよい。
【０１２５】
（クレジットカード１３００の機能的構成）
つぎに、実施の形態３にかかるカードであるクレジットカード１３００の機能的構成について説明する。図１３は、この発明にかかる実施の形態３のカード（クレジットカード１３００）の機能的構成を示すブロック図である。図１３のブロック図において、クレジットカード１３００は、記憶媒体１３０２、カード情報要求受付部１３０３、カード情報出力部１３０４と、を備えている。
【０１２６】
記憶媒体１３０２は、１つまたは複数のカード情報を記憶する。カード情報には、暗証番号情報が含まれる。記憶媒体１３０２に記憶されるカード情報の具体例は、図３に示した、実施の形態１における記憶媒体２０１と同様の内容である。記憶媒体１３０２は、具体的には、たとえば、ＩＣチップ内の所定の記憶領域および当該記憶領域へのデータの書き込みおよび読み出しをおこなう制御部によって、その機能を実現することができる。
【０１２７】
カード情報要求受付部１３０３は、後述するカード決済装置（店舗端末装置１４００）から出力された、暗証番号情報を含むカード情報の要求を受け付ける。カード情報要求受付部１３０３は、具体的には、たとえば、ＩＣチップにおいて外部とのデータの入出力を司るインタフェース部およびＩＣチップ内の制御部によって、その機能を実現することができる。
【０１２８】
カード情報出力部１３０４は、記憶媒体１３０２に記憶されている、暗証番号情報を含むカード情報を、カード情報要求受付部１３０３が受け付けた要求に応じて、カード決済装置（店舗端末装置１４００）へ出力する。カード情報出力部１３０４は、具体的には、たとえば、ＩＣチップにおいて外部とのデータの入出力を司るインタフェース部およびＩＣチップ内の制御部によって、その機能を実現することができる。
【０１２９】
さらに、クレジットカード１３００は、図示は省略するが、各部へ供給する電池を内蔵していてもよい。また、電池に加えてまたは電池の代わりに、外部電源からの電力の供給を受けるための手段（電力取得部）を備えていてもよい。
【０１３０】
（店舗端末装置１４００の機能的構成）
つぎに、実施の形態３にかかるカード決済装置としての店舗端末装置１４００の機能的構成について説明する。なお、店舗端末装置１４００を含むカード決済システムは、実施の形態２におけるカード決済システム８００と同様であるので、その図示および説明は省略する。また、店舗端末装置１４００のハードウエア構成は、店舗端末装置８２０のハードウエア構成と同様であるので、その図示および説明は省略する。
【０１３１】
図１４は、この発明にかかる実施の形態３のカード決済装置（店舗端末装置１４００）の機能的構成を示すブロック図である。図１４のブロック図において、店舗端末装置１４００は、カード情報要求部１４０１、暗証番号情報入力部１４０２、暗証番号入力部１４０３、暗証番号判断部１４０４、カード情報入力部１４０５、決済金額情報入力部１４０６、認証要求情報送信部１４０７、認証許可情報受信部１４０８、決済処理部１４０９、表示部１４１０と、を備えている。
【０１３２】
カード情報要求部１４０１は、暗証番号情報を含むカード情報の出力要求をクレジットカード１３００に対しておこなう。カード情報要求部１４０１は、具体的には、たとえば、図９Ａ、図９Ｂに示したカードリーダ９１８、９３４などのクレジットカード１３００と接続されるインタフェースによって、その機能を実現することができる。
【０１３３】
暗証番号情報入力部１４０２は、クレジットカード１３００から出力される暗証番号情報を入力する。暗証番号情報入力部１４０２は、具体的には、たとえば、図９Ａ、図９Ｂに示したカードリーダ９１８、９３４などのクレジットカード１３００と接続されるインタフェースによって、その機能を実現することができる。
【０１３４】
暗証番号入力部１４０３は、カードの所有者自らおこなう暗証番号の入力を受け付ける。暗証番号入力部１４０３は、具体的には、たとえば、図９Ａ、図９Ｂに示したキーボード９１５、９２８によって、その機能を実現することができる。
【０１３５】
暗証番号判断部１４０４は、暗証番号情報入力部１４０２と、暗証番号入力部１４０３によって入力された暗証番号情報とを比較し、一致する暗証番号情報があるか否かを判断する。暗証番号判断部１４０４は、図９Ａ、図９Ｂに示したＣＰＵ９１１、９２１、ＲＯＭ９１２、９２２、ＲＡＭ９１３、９２３、ＨＤＤ９２４、ＨＤ９２５などによって、その機能を実現する。
【０１３６】
なお、カード情報入力部１４０５、決済金額情報入力部１４０６、認証要求情報送信部１４０７、認証許可情報受信部１４０８、決済処理部１４０９、表示部１４１０は、実施の形態２における店舗端末装置８２０のカード情報入力部１００３、決済金額情報入力部１００４、認証要求情報送信部１００５、認証許可情報受信部１００６、決済処理部１００７、表示部１００８と、同様の構成内容であるので、その説明は省略する。
【０１３７】
（店舗端末装置１４００の処理手順）
つぎに、実施の形態３にかかるカード決済装置として店舗端末装置１４００の処理手順について説明する。図１５は、この発明にかかる実施の形態３のカード決済装置（店舗端末装置１４００）の処理手順を示すフローチャートである。
【０１３８】
図１５のフローチャートにおいて、クレジットカード１３００が、店舗端末装置１４００の所定の位置にセットされたか否かを判断する（ステップＳ１５０１）。ここで、クレジットカード１３００が所定の位置にセットされるのを待って（ステップＳ１５０１：Ｎｏ）、セットされた場合（ステップＳ１５０１：Ｙｅｓ）は、クレジットカード１３００に対して、暗証番号情報を要求する（ステップＳ１５０２）。そして、当該要求に応じて、クレジットカード１３００から暗証番号情報を取得する（ステップＳ１５０３）。
【０１３９】
つぎに、店舗端末装置１４００のキーボード９１５、９２８から、（カード所有者によって、）暗証番号が入力されたか否かを判断する（ステップＳ１５０４）。ここで、暗証番号が入力されるのを待って（ステップＳ１５０４：Ｎｏ）、入力された場合（ステップＳ１５０４：Ｙｅｓ）は、ステップＳ１５０３において取得した暗証番号情報と、比較して、入力された暗証番号と一致する暗証番号情報があるか否かを判断する（ステップＳ１５０５）。
【０１４０】
ステップＳ１５０５において、一致する暗証番号情報がない場合（ステップＳ１５０５：Ｎｏ）は、たとえば図１１Ｂのように、その旨（ＮＧ情報）および再度暗証番号を入力し直してもらう旨の情報を表示し（ステップＳ１５０６）、ステップＳ１５０４へ戻る。図示は省略するが、ステップＳ１５０４〜Ｓ１５０６を所定回数繰り返した場合には、ステップＳ１５０４へ戻らず、一連の処理を終了するようにしてもよい。
【０１４１】
ステップＳ１５０５において、一致する暗証番号情報がある場合（ステップＳ１５０５：Ｙｅｓ）は、当該一致する暗証番号情報に対応するカード情報を、クレジットカード１３００に対して要求する（ステップＳ１５０７）。そして、当該要求に応じて、クレジットカード１３００からカード情報を取得する（ステップＳ１５０８）。その後、ステップＳ１５０９へ移行する。
【０１４２】
ステップＳ１５０９〜Ｓ１５１３の各工程における処理は、図１２のフローチャートに示した実施の形態２にかかる店舗端末装置８２０のステップＳ１２０６〜Ｓ１２１０までと同様であるので、その説明は省略する。
【０１４３】
（クレジットカード１３００を用いた決済手順の一例）
このクレジットカード１３００によって決済をする際、まず、クレジットカード１３００の所有者は、店舗端末装置１４００の所定の位置にクレジットカード１３００をセットし（あるいは店舗の店員にクレジットカード１３００を手渡し、当該店員にセットしてもらい）、その後、キーボード（テンキー）９１５、９２８を用いて、利用するカードの種類に応じた暗証番号を入力する。入力後、暗証番号が正しければ、当該暗証番号に対応するカード情報をクレジットカード１３００から取得されて、店舗端末装置１４００のディスプレイ９１４、９２６に表示される。
【０１４４】
そして店舗店員は、店舗端末装置１４００に対して決済金額の入力をおこなう。店舗店員による決済金額の入力は、たとえば、キーボード９１５、９２８からの入力やバーコードスキャナ９２９による入力などである。
【０１４５】
店舗端末装置１４００は、セットされたクレジットカード１３００から読み取られたカード情報、暗証番号と、店員によって入力された決済金額情報とをカード会社のサーバ８１０に送信し、決済処理を要求する。暗証番号情報はすでに取得済みであるので、カード所有者に対して、あらためて、暗証番号の入力を要求することはない（または、念のため、再度、暗証番号の入力を要求するようにしてもよい）。
【０１４６】
その後、決済処理が終了すると、店舗端末装置１４００によってレシートが印刷される。店舗店員は、当該レシートをカード所有者にクレジットカード１３００とともに手渡して、一連の決済手続は終了する。
【０１４７】
このように、実施の形態３にかかるクレジットカード１３００およびカード決済装置（店舗端末装置１４００）によれば、実施の形態１、２にかかるクレジットカード１００、５００と同様に、利用する際に、暗証番号が入力された場合にのみ、入力された暗証番号に対応するカード情報を外部に出力し、決済処理が可能となるので、他人が当該クレジットカード１３００を見ただけでは、カード情報が分からず、悪用を防止することができる。また、実施の形態３にかかるクレジットカード１３００は、カード決済装置に暗証番号入力部１４０３を備えているため、実施の形態１にかかるクレジットカード１００と比較して、クレジットカード１３００に暗証番号を入力するためのテンキーも、判断結果を表示するためのキーボードも設ける必要がない。さらに、暗証番号が一致するかの判断手段をカード決済装置に設けたので、クレジットカード１３００のＩＣチップが、その判断をする必要もない。
【０１４８】
以上説明したように、この実施の形態のクレジットカード１００は、一つまたは複数の暗証番号情報を含むカード情報を記憶する記憶媒体２０１と、暗証番号を入力する暗証番号入力部２０２と、暗証番号入力部２０２によって入力された暗証番号と、記憶媒体２０１に記憶された暗証番号情報とを比較し、一致する暗証番号情報があるか否かを判断する暗証番号判断部２０３と、暗証番号判断部２０３による判断結果に基づいて、記憶媒体２０１に記憶された、一致した暗証番号情報に対応するカード情報の出力を許可するカード情報出力許可部２０６と、を備えているので、正しい暗証番号が入力されたときだけ、所望のカード情報が出力され、決済をおこなうことができる。したがって、それ以外では、カード情報を取得することはできず、他人が当該カード情報を悪用することを防止することができる。
【０１４９】
また、この実施の形態のクレジットカード５００は、一つまたは複数の暗証番号情報を含むカード情報を記憶する記憶媒体６０１と、カード決済装置（店舗端末装置８２０）から入力された暗証番号と、記憶媒体６０１に記憶された暗証番号情報とを比較し、一致する暗証番号情報があるか否かを判断する暗証番号判断部６０３と、暗証番号判断部６０３による判断結果に基づいて、記憶媒体６０１に記憶された、一致した暗証番号情報に対応するカード情報の出力を許可するカード情報出力許可部６０５と、を備えており、カード決済装置（店舗端末装置８２０）が、暗証番号を入力する暗証番号入力部１００１と、入力された暗証番号情報をクレジットカード５００へ出力する暗証番号情報出力部１００２と、を備えているので、カード決済装置（店舗端末装置８２０）に対して正しい暗証番号が入力されたときだけ、所望のカード情報が出力され、決済をおこなうことができる。したがって、それ以外では、カード情報を取得することはできず、他人が当該カード情報を悪用することを防止することができる。
【０１５０】
また、この実施の形態のクレジットカード１００、５００は、暗証番号判断部による判断結果に関する情報を表示する判断結果表示部を備えているので、暗証番号の入力が正しくおこなわれ、カード情報が確実に出力できるかどうかを容易にかつ確実に知ることができる。
【０１５１】
また、この実施の形態のカード決済装置（店舗端末装置１４００）は、カードに設けられた記憶媒体１３０２から、当該記憶媒体１３０２に記憶された少なくとも一つのカードの暗証番号情報を取得する暗証番号情報入力部１４０２と、暗証番号の入力を受け付ける暗証番号入力部１４０３と、暗証番号入力部１４０３により入力された暗証番号と、暗証番号情報入力部１４０２によって取得された暗証番号情報とを比較し、一致する暗証番号情報があるか否かを判断する暗証番号判断部１４０４と、暗証番号判断部１４０４による判断結果に基づいて、記憶媒体１３０２から、記憶媒体１３０２に記憶された、一致した暗証番号情報に対応するカード情報を取得するカード情報入力部１４０５と、カード情報入力部１４０５により取得されたカード情報を用いて決済処理を実行する決済処理実行部（認証要求情報送信部１４０７、認証許可情報受信部１４０８、決済処理部１４０９）と、を備えているので、カード決済装置（店舗端末装置１４００）に対して正しい暗証番号が入力されたときだけ、所望のカード情報が出力され、決済をおこなうことができる。したがって、それ以外では、カード情報を取得することはできず、他人が当該カード情報を悪用することを防止することができる。
【０１５２】
また、この実施の形態のカード決済装置（店舗端末装置１４００）は、カード情報入力部１４０５により取得されたカード情報の一部を表示する表示部１４１０を備えているので、カード所有者あるいは店舗店員が、取得したカード情報の内容を容易にかつ確実に知ることができ、決済処理を安全にかつ円滑におこなうことができる。
【０１５３】
カード情報入力部１４０５は、暗証番号判断部１４０４による判断結果に基づいて、記憶媒体１３０２から、記憶媒体１３０２に記憶された、カードの所有者の画像情報を取得し、表示部１４１０は、画像情報を表示することができるので、店舗店員がカード所有者の肖像を容易に確認することができ、決済処理をより安全にかつ円滑におこなうことができる。
【０１５４】
なお、この実施の形態で説明したカード決済処理方法は、あらかじめ用意されたプログラムをパーソナルコンピュータやワークステーションなどのコンピュータで実行することにより実現することができる。このプログラムは、ハードディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１５５】
以上のように、この発明にかかるカード、カード決済装置、カード決済処理プログラムおよびカード決済処理方法は、クレジットカードなどのカードによる決済処理をおこなうカード、カード決済装置、カード決済処理プログラムおよびカード決済処理方法に有用であり、特に、紛失や盗難により不正使用されることを防止し、個人情報保護を促進するカード、カード決済装置、カード決済処理プログラムおよびカード決済処理方法に適している。
【符号の説明】
【０１５６】
１００、５００、１３００  クレジットカード
１０１、５０１  ＩＣチップ
１０２  テンキー
１０３  ディスプレイ
２０１、６０１、１３０２  記憶媒体
２０２  暗証番号入力部
２０３、６０３  暗証番号判断部
２０４  判断結果表示部
２０５、６０４  カード情報出力部
２０６、６０５  カード情報出力許可部
６０２  暗証番号情報入力部
８００  カード決済システム
８１０  サーバ
８２０、１４００  店舗端末装置
１００１、１４０３  暗証番号入力部
１００２  暗証番号情報出力部
１００３、１４０５  カード情報入力部
１００４、１４０６  決済金額情報入力部
１００５、１４０７  認証要求情報送信部
１００６、１４０８  認証許可情報受信部
１００７、１４０９  決済処理部
１００８、１４１０  表示部
１１０１、１１０２  表示画面
１１１１  画像（写真）情報
１３０３  カード情報要求受付部
１３０４  カード情報出力部
１４０１  カード情報要求部
１４０２  暗証番号情報入力部
１４０４  暗証番号判断部
【図１Ａ】
0006645742.tif 000002
【図１Ｂ】
0006645742.tif 000003
【図１Ｃ】
0006645742.tif 000004
【図２】
0006645742.tif 000005
【図３】
0006645742.tif 000006
【図４】
0006645742.tif 000007
【図５Ａ】
0006645742.tif 000008
【図５Ｂ】
0006645742.tif 000009
【図６】
0006645742.tif 000010
【図７】
0006645742.tif 000011
【図８】
0006645742.tif 000012
【図９Ａ】
0006645742.tif 000013
【図９Ｂ】
0006645742.tif 000014
【図１０】
0006645742.tif 000015
【図１１Ａ】
0006645742.tif 000016
【図１１Ｂ】
0006645742.tif 000017
【図１２】
0006645742.tif 000018
【図１３】
0006645742.tif 000019
【図１４】
0006645742.tif 000020
【図１５】
0006645742.tif 000021